(57)【特許請求の範囲】
【請求項１】
ワイヤハーネスが有する互いに接触した複数の電線が押し込まれることにより、前記複数の電線同士の間に所望の間隔を形成し且つ前記ワイヤハーネスの接続形状に前記複数の電線の各々を配置する電線間隔変換治具において、
前記複数の電線の各々に対応し且つ押し込まれた電線を前記接続形状に対応した位置に案内する複数のガイド穴と、
前記複数のガイド穴が形成され且つ隣り合う複数のガイド穴の入口の各々が千鳥足状に形成された入口側端面を有する本体と、
を有することを特徴とする電線間隔変換治具。
【請求項２】
前記本体が、前記入口側端面を分割する複数の分割部を有し、
前記複数のガイド穴が、前記本体の入口側端面における分割境目を中心に、隣り合う複数の入口が交互にずれるように前記複数の分割部にわたって形成されていることを特徴とする請求項１に記載の電線間隔変換治具。
【請求項３】
前記複数のガイド穴の入口が、前記本体の入口側端面における断面がＵ字状且つ当該Ｕ字状の開放部が前記分割部の分割面に位置するように形成されていることを特徴とする請求項２に記載の電線間隔変換治具。
【請求項４】
前記複数のガイド穴の入口が、前記電線を挿入し易くするための曲げ部を有することを特徴とする請求項１〜３の何れか１項に記載の電線間隔変換治具。
【発明の詳細な説明】
【技術分野】
【０００１】
本発明は、ワイヤハーネスが有する互いに接触した複数の電線が押し込まれることにより、前記複数の電線同士の間に所望の間隔を形成し且つ前記ワイヤハーネスのコネクタ側条件等の接続形状に前記複数の電線の各々を配置する電線間隔変換治具に関するものである。
【背景技術】
【０００２】
移動体としての自動車には、種々の電子機器が搭載される。前記自動車は、前記電子機器にバッテリなどの電源からの電力や制御装置からの制御信号などを伝えるためにワイヤハーネスを配索している。例えば、図６に示すように、ワイヤハーネス１０は、複数（図中では３本）の電線１１と、隣り合う複数の電線１１同士が接触したフラット状に複数の電線１１を並べた状態で覆う被覆部１２と、を有している。そして、被覆部１２から露出した複数の電線１１の端部１３は、コネクタ等に接続される。
【０００３】
なお、コネクタは、絶縁性の合成樹脂で形成されたハウジングと、該ハウジング内に収容されるとともに前記電線の端末に取り付けられた端子金具を備えている。また、ワイヤハーネス１０は、複数の電線１１をフラットに並べたものだけではなく、複数の電線１１を撚った状態で被覆するなど種々異なる構造となっている。
【０００４】
このようにワイヤハーネス１０は、複数の電線１１が接触した状態で形成されているため、コネクタに接続する場合は、図７に示すように、複数の電線１１の端部１３をばらして、コネクタとの接続形状となるように複数の電線１１のピッチ（間隔）を拡げる加工を施している。
【０００５】
このような加工を施すために、例えば、図８又は図９に示すような治具１００を用いている。治具１００は、上述した複数の電線１１同士の間に所望のピッチを形成するための分岐ガイド１１０を本体１２０に形成し、本体１２０の入口側側面１２１に近づけ、ワイヤハーネス１０の端部１３を分岐ガイド１１０に挿入し、押し込み方向Ｐに向かってワイヤハーネス１０を押し込むことで、治具１００が複数の電線１１の端部１３を拡げてワイヤハーネス１０の接続形状に形成している。即ち、複数のワイヤハーネス１０同士の間に所定間隔Ｓを形成している。
【０００６】
また、特許文献１に示すフラット電線の端末加工方法では、電線間ピッチが最小のフラット電線をフラット化補強テープで貼り合わせた位置から適当な長さ位置で切断したものをクランプで動かないようにクランプし、同時に又はその後ピッチ変更手段で各電線端末を保持した状態でカッター１２によりフラット化補強テープをカットする。そして、駆動シリンダにより最外側の保持板を左右の方向へ移動させ、リンクアームで内側の保持板を移動させて各保持板で保持されている電線間ピッチを拡げ、その状態でコネクタなどに接続処理している。
【特許文献１】特開平９−１１５６３３号公報
【発明の開示】
【発明が解決しようとする課題】
【０００７】
しかしながら、図８に示す治具１００では、入口側側面１２１の分岐ガイド１１０は複数の穴が横一列に配置されており、複数の電線１１同士が接触している形状に対応しているため、各電線１１に対応した穴は独立せずに、分岐ガイド１１０の入口側側面１２１付近寄りは各電線１１を仕切る壁がない状態となっている。そのため、ワイヤハーネス１０を治具１００内に押し込んでいくと、分岐ガイド１１０の壁無し部分１１１から壁有り部分１１２に到達したときに、その壁有り部分１１２に電線１１がぶつかり、ワイヤハーネス１０を押し込めなくなってしまい、製造作業の効率を低下させてしまうという問題があった。
【０００８】
また、特許文献１に示す端末加工方法では、装置構成が複雑となり、コストアップの要因となってしまう。さらに、ワイヤハーネス１０は多種多様化しており、その全てに加工装置を対応させるのは困難であった。
【０００９】
よって本発明は、上述した問題点に鑑み、製造作業の効率を低下させることなく、ワイヤハーネスの端部の電線間隔を変換する電線間隔変換治具を提供することを課題としている。
【課題を解決するための手段】
【００１０】
上記課題を解決するため本発明によりなされた請求項１記載の電線間隔変換治具は、ワイヤハーネスが有する互いに接触した複数の電線が押し込まれることにより、前記複数の電線同士の間に所望の間隔を形成し且つ前記ワイヤハーネスの接続形状に前記複数の電線の各々を配置する電線間隔変換治具において、前記複数の電線の各々に対応し且つ押し込まれた電線を前記接続形状に対応した位置に案内する複数のガイド穴と、前記複数のガイド穴が形成され且つ隣り合う複数のガイド穴の入口の各々が千鳥足状に形成された入口側端面を有する本体と、を有することを特徴とする。
【００１１】
上記請求項１に記載した本発明の電線間隔変換治具によれば、複数のガイド穴が入口の各々が本体の端面で千鳥足状に形成するようにしたことから、複数の隣り合うガイド穴同士の入口はずれた状態となり、その間には壁等が介在するため、複数の電線同士をぶつけずに、対応するガイド穴の各々に押し込むことができる。
【００１２】
請求項２記載の発明は、請求項１に記載の電線間隔変換治具において、前記本体が、前記入口側端面を分割する複数の分割部を有し、前記複数のガイド穴が、前記本体の入口側端面における分割境目を中心に、隣り合う複数の入口が交互にずれるように前記複数の分割部にわたって形成されていることを特徴とする。
【００１３】
上記請求項２に記載した本発明の電線間隔変換治具によれば、本体を複数の分割部に分割可能とし、その分割境目を中心に、隣り合う複数のガイド穴の入口を交互にずらして形成したことから、隣り合う複数のガイド穴同士の間に段差を設けることができる。また、ワイヤハーネスを接続形状に形成した後に、本体を分割してワイヤハーネスを取り出すことができる。
【００１４】
請求項３記載の発明は、請求項２に記載の電線間隔変換治具において、前記複数のガイド穴の入口が、前記本体の入口側端面における断面がＵ字状且つ当該Ｕ字状の開放部が前記分割部の分割面に位置するように形成されていることを特徴とする。
【００１５】
上記請求項３に記載した本発明の電線間隔変換治具によれば、ガイド穴の入口のＵ字状の断面の開放部を本体の分割部の分割面としたことから、本体を分割して容易にワイヤハーネスを取り出すことができる。
【００１６】
請求項４記載の発明は、請求項１〜３の何れか１項に記載の電線間隔変換治具において、前記複数のガイド穴の入口が、前記電線を挿入し易くするための曲げ部を有することを特徴とする。
【００１７】
上記請求項４に記載した本発明の電線間隔変換治具によれば、電線を挿入し易くするためのテーパ、Ｒ等の曲げ部をガイド穴の入口に形成するようにしたことから、複数の電線の各々をガイド穴に容易に挿入することができる。
【発明の効果】
【００１８】
以上説明したように請求項１に記載した本発明の電線間隔変換治具によれば、複数の電線同士をぶつけずに、対応するガイド穴の各々に押し込むことができるため、製造作業の効率を低下させることなく、ワイヤハーネスの端部の電線間隔を変換するができるという効果を奏する。また、電線が平行でなくても電線間隔を変換することができるため、複数の電線を撚ったワイヤハーネスなど種々異なるワイヤハーネスの端部形状を変換することができる。
【００１９】
請求項２に記載の発明によれば、請求項１に記載の発明の効果に加え、隣り合う複数のガイド穴同士の間に段差を設けることができるため、複数の電線の各々を対応するガイド穴により一層スムーズに押し込むことができる。また、ワイヤハーネスを接続形状に形成した後に、本体を分割して複数の電線を接続形状のままワイヤハーネスを取り出すことができるため、製造作業の効率化を図ることができ且つコネクタに接続等の電線変換後の作業を効率よく進めることができる。
【００２０】
請求項３に記載の発明によれば、請求項２に記載の発明の効果に加え、本体を分割して容易にワイヤハーネスを取り出すことができるため、より一層の製造作業の効率化を図ることができる。
【００２１】
請求項４に記載の発明によれば、請求項１〜３の何れか１項に記載の発明の効果に加え、複数のガイド穴の入口がずれていても、複数の電線の各々をガイド穴に容易に挿入することができるため、挿入作業の作業性を向上することができる。
【発明を実施するための最良の形態】
【００２２】
以下、本発明に係る電線間隔変換治具の一例を、図１乃至図５の図面を参照して以下に説明する。なお、従来例と共通する部分には同一の符号を付して説明する。
【００２３】
図１乃至図５において、電線間隔変換治具１は、ワイヤハーネス１０が有する互いに接触した複数の電線１１が押し込まれることにより、前記複数の電線１１同士の間に所望の間隔を形成し且つ前記ワイヤハーネス１０の接続形状に前記複数の電線１１の各々を配置する構成となっている。
【００２４】
ここで、ワイヤハーネス１０は、公知であるように、複数の電線１１と、隣り合う複数の電線１１同士が接触したフラット状に複数の電線１１を並べた状態で覆う被覆部１２と、を有して構成している。なお、本実施形態では、説明を簡単化するために、複数の電線１１を３本とした場合について説明するが、複数の電線１１は４本以上などの任意の本数とすることができる。
【００２５】
電線１１は、周知であるように、導電性の芯線１１ａと、該芯線１１ａを被覆する絶縁性の被覆部材１１ｂとを有している。前記芯線１１ａは、複数の導線が撚られて形成されている。前記芯線１１ａを構成する導線は、導電性の金属からなる。また、前記芯線１１ａは、一本の導線から構成されても良い。前記被覆部材１１ｂは、例えば、ポリ塩化ビニル（Polyvinylchloride：ＰＶＣ）などの合成樹脂からなる。そして、電線１１の外表面とは、前記被覆部１１ｂの外表面をなしている。
【００２６】
ワイヤハーネス１０の接続形状とは、複数の電線１１の各被覆部１２から露出したワイヤハーネス１０の端部１３の各々が、上述したコネクタ等の接続対象物に接続されるときの形状を意味している。即ち、隣り合う複数の電線１１の間の所望の間隔、ずらした電線１１同士のずらし量等を接続形状は示すことになる。また、本実施形態では、電線間隔変換治具１が扁平のワイヤハーネス１０を扁平の接続形状に変換する場合について説明するが、本発明はこれに限定するものではなく、前記接続形状に対応した立体形状などの種々異なる形状とすることができる。また、前記所望の間隔は、全て同一としても良いし、電線１１間で異なる間隔としても良い。
【００２７】
電線間隔変換治具１は、複数（図１中等では３本）のガイド穴２と、当該複数のガイド穴が形成された本体３と、を有して構成している。そして、複数のガイド穴２は、変換対象の電線１１の本数に対応して設けられている。
【００２８】
複数のガイド穴２の各々は、対応する電線１１が挿入可能な挿入孔として本体２を貫通するように形成されている。ガイド穴２は、図４等に示すように、電線１１が入口２１から押し込まれ、その先端１４が出口２２から本体３の外部に突出することで、複数の電線１１の各々を前記接続形状に形成している。即ち、押し込まれた電線１１を前記接続形状に対応した位置に案内することで、隣り合う電線１１の間に所定間隔を形成して、複数の電線１１同士の間隔（ピッチ）を変換している。
【００２９】
本体３は、例えば合成樹脂、金属部材等の任意の部材によって略箱状に形成されている。本体３は、入口側端面３１と出口側端面３２とを有し、入口側端面３１から出口側端面３２に貫通するように、本体内部に上述した複数のガイド穴２が形成されている。本体３は、入口側端面３１及び出口側端面３２を約二等分するように、上側分割部３３と下側分割部３４に分割されている。つまり、本体３は、上側分割部３３と下側分割部３４とに分割可能に形成されている。なお、本体３の分割方法については、３つ以上に分割する、上下方向に分割するなど種々異なる分割方法を適用することができる。
【００３０】
入口側端面３１は、図３に示すように、隣り合う複数のガイド穴２の入口２１の各々が千鳥足状に形成されている。本実施形態では、入口側端面３１における上側分割部３３と下側分割部３４との分割境目３５を中心として、複数のガイド穴２の入口２１が上下交互にずれるように並んで形成されている。このように本実施形態では、入口側端面３１において、上側分割部３３に１つの入口２１、下側分割部３４に２つの入口２１を形成している。即ち、入口側端面３１において、複数の入口２１を上下段差配置することで、隣り合う入口２１の間に無駄な間隔を設けることなく、壁、仕切等を形成することができ、且つ、本体２の幅を拡げて大型化することもない。なお、入口側端面３１における複数の入口２１の配置形態については、上下段差に限定するものではなく、階段状な種々異なる配置形状とすることができる。
【００３１】
一方、出口側端面３２は、図５に示すように、隣り合う複数のガイド穴２の出口２２同士の間に所定間隔が形成され且つ本体３の分割境目３５を中心として横一列に配置されるように、複数の出口２２が並んで形成されている。このように、入口側端面３１の入口２１には段差を形成しているが、出口側端面３２の出口２２は従来（図８等参照）と同様に横一列配置に戻すよう構成している。
【００３２】
複数のガイド穴２の入口２１は、前記本体３の入口側端面３１における断面がＵ字状且つ当該Ｕ字状の開放部が本体３の分割境目３５、つまり図２に示す上側分割部３３と下側分割部３４との分割面（当接面）３６に位置するように形成されている。そして、ガイド穴２の入口２１は、図１，４に示すように、側分割部３３又は下側分割部３４の一方に形成され且つ本体３の入口側端面３１から連なる傾斜部２３と、側分割部３３と下側分割部３４との双方に分割された状態で形成され且つ該傾斜部２３から出口２２を結ぶ連結部２４とを有している。
【００３３】
また、ガイド穴２の入口２１は、電線１１を挿入し易くするための曲げ部２１ａを有している。曲げ部２１ａは、断面Ｕ字の連結部分、つまり前記開放部と対向した部分に、テーパや所望の曲率半径等によって電線１１の断面形状に対応した形状で形成されている。このように入口２１に曲げ部２１ａを形成することで、本体３の入口側端面３１に対して電線１１を曲げた状態で挿入する場合でも、電線１１をスムーズにガイド穴２に挿入することが可能な構成としている。
【００３４】
次に、上述した構成の電線間隔変換治具１を用いて、ワイヤハーネス１０の端部１３の形状を変換する場合の一例を以下に説明する。
【００３５】
まず、作業者等は、電線間隔変換治具１のガイド穴２の入口２１の形状に合うように、隣り合う３本の電線１１の各々を、交互に曲げてワイヤハーネス１０を事前にセットする。詳細には、３本の電線１１のうち、両側の電線１１を下方向Ｄ、真ん中の電線１１を上方向Ｕに向けて曲げておく。
【００３６】
このように端部１３を事前にセットしたワイヤハーネス１０は、図１に示すように、作業者等によって電線間隔変換治具１の入口側端面３１に近づけられて、各電線１１がガイド穴２の入口２１に挿入される。そして、ワイヤハーネス１０が押し込み方向Ｐに向かってさらに押し込まれることで、電線１１の各々はガイド穴２内に押し込まれて、その電線１１の先端１４がガイド穴２、つまり本体３を突き抜ける。
【００３７】
これにより、電線間隔変換治具１は、各ガイド穴２に押し込まれた電線１１を前記接続形状に対応した位置に位置付ける。そして、その電線１１の付け根部分１１ａは、電線間隔変換治具１の入口側端面３１によって上方向Ｕ又は下方向Ｄに若干曲げられた状態となるため、電線１１の先端１４の配置を維持し易くなっている。そして、電線間隔変換治具１は、その状態を維持したまま上側分割部３３が取り外されて、ワイヤハーネス１０の端部１３が変換された形状のまま取り出される。そして、ワイヤハーネス１０の端部１３は、コネクタの挿入孔等に装着される。
【００３８】
以上説明したように電線間隔変換治具１によれば、複数の電線１１同士をぶつけずに、対応するガイド穴２の各々に押し込むことができるため、製造作業の効率を低下させることなく、ワイヤハーネス１０の端部１４の電線間隔を変換するができるという効果を奏する。また、電線１１が平行でなくても電線間隔を変換することができるため、複数の電線１１を撚ったワイヤハーネスなど種々異なるワイヤハーネス１０の端部形状を変換することができる。
【００３９】
また、隣り合う複数のガイド穴２同士の間に段差を設けることができるため、複数の電線１１の各々を対応するガイド穴２により一層スムーズに押し込むことができる。また、ワイヤハーネス１０を接続形状に形成した後に、本体３を分割して複数の電線１１を接続形状のままワイヤハーネス１０を取り出すことができるため、製造作業の効率化を図ることができ且つコネクタに接続等の電線変換後の作業を効率よく進めることができる。
【００４０】
さらに、本体３を分割して容易にワイヤハーネスを取り出すことができるため、より一層の製造作業の効率化を図ることができる。また、本発明の構造によって複数のガイド穴２の入口２１がずれていても、複数の電線１１の各々をガイド穴２に容易に挿入することができるため、挿入作業の作業性を向上することができる。
【００４１】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００４２】
【図１】本発明の電線間隔変換治具の全体構成を示す斜視図である。
【図２】図１中の本体に電線の一部が押し込まれた状態の下側分割部を示す斜視図である。
【図３】図１中の電線間隔変換治具の入口側端面を示す側面図である。
【図４】図１中の直線Ａ−Ａを通る矢印方向の断面図である。
【図５】図１中の電線間隔変換治具の出口側端面を示す側面図である。
【図６】ワイヤハーネスの一例を説明するための図である。
【図７】ワイヤハーネスの端部形状の変換を説明するための図である。
【図８】従来の治具の一例を説明するための斜視図である。
【図９】従来の治具を用いてワイヤハーネスの端部形状を変換した場合を説明するための遷移図である。
【符号の説明】
【００４３】
１    電線間隔変換治具
２    ガイド穴
３    本体
１０    ワイヤハーネス
１１    電線
１２    被覆部
１３    端部
２１    入口
２１ａ    曲げ部
２２    出口
３１    入口側端面
３２    出口側端面
【図１】
0005295575.tif 000002
【図２】
0005295575.tif 000003
【図３】
0005295575.tif 000004
【図４】
0005295575.tif 000005
【図５】
0005295575.tif 000006
【図６】
0005295575.tif 000007
【図７】
0005295575.tif 000008
【図８】
0005295575.tif 000009
【図９】
0005295575.tif 000010